(57)【特許請求の範囲】
【請求項１】
患者の顔を支持するために基台に取り付けられた顔支持ユニットを有し、被検眼を検査する装置本体ユニットを基台上で移動させる眼科装置において、基台に設けられたレールに沿って移動する車軸に対してその軸方向に移動可能に移動支基を設け、移動支基に対して装置本体ユニットを着脱自在にすると共に、収納時には前記顔支持ユニットの支柱を途中で折り曲げ又は基台から取り外して顔支持ユニットの主要部を基台と平行に置くことを可能にする構造であって、検査時には前記支柱を立設させて基台に固定する固定手段を設け、運搬用のケースは前記基台の平面が装置本体ユニットの高さ方向となるように収納させる、ことを特徴とする眼科装置。
【発明の詳細な説明】
【０００１】
【発明の属する技術分野】
本発明は、患者眼を固定するために患者の顔を支持する顔支持ユニットを持ち、患者眼を観察、測定或いはレーザ治療等を行う眼科装置に関する。
【０００２】
【従来技術】
この種の眼科装置においては、必要に応じて別の場所まで持ち運び、使用することがある。例えば、治療レーザ光を患者眼の患部に照射して治療を行なうレーザ治療装置では、１台の装置を複数の病院で共用することがある。このような場合、このレーザ治療装置を病院から病院へと運搬する必要性が生じる。運搬時には装置の保護と運搬性を確保するために運搬用ケースに収納して、可搬性を持たせている。
【０００３】
【発明が解決しようとする課題】
しかしながら、眼科用のレーザ治療装置は、従来、患者眼を観察するスリットランプ及びレーザ照射光学系を有する装置本体を基台上で移動可能に搭載すると共に、患者の顔を固定する顔支持ユニットが基台に固定されていたので、これらを一体的に収納する運搬用ケースは当然大きくなりがちであり、必ずしも可搬性が良好とは言えなかった。また、重量があるものは運搬自体が容易でない。
【０００４】
本発明は上記問題点に鑑み、運搬時に使用する運搬用ケースの大きさを小さくすることができ、可搬性に優れた眼科装置を提供することを技術課題とする。
【０００５】
【課題を解決するための手段】
上記課題を解決するために、本発明は以下のような構成を備えることを特徴とする。
【０００６】
（１）  患者の顔を支持するために基台に取り付けられた顔支持ユニットを有し、被検眼を検査する装置本体ユニットを基台上で移動させる眼科装置において、基台に設けられたレールに沿って移動する車軸に対してその軸方向に移動可能に移動支基を設け、移動支基に対して装置本体ユニットを着脱自在にすると共に、収納時には前記顔支持ユニットの支柱を途中で折り曲げ又は基台から取り外して顔支持ユニットの主要部を基台と平行に置くことを可能にする構造であって、検査時には前記支柱を立設させて基台に固定する固定手段を設け、運搬用のケースは前記基台の平面が装置本体ユニットの高さ方向となるように収納させる、ことを特徴とする。
【００１１】
【発明の実施の形態】
本発明の実施の形態を図面に基づいて説明する。図１は実施形態の装置の外観を示した図である。１は装置本体である。装置本体１は患者眼を照明するスリットランプ照明部２ａ、患者眼を観察するスリットランプ顕微鏡部２ｂを備え、さらに筐体内には、図２に示す如く、治療用レーザ光源としてのＹＡＧレーザ光源５０、エイミング用光源６０、各光源から出射された光束を患者眼に導光するための導光光学系が設けられている。レーザ光源５０から出射したレーザ光は出力調整光学系５１、ミラー５２、エキスパンダレンズ５３を経て、レーザ光を反射しエイミング用光源６０からの可視光を透過するダイクロイックミラー５４によってエイミング光と同軸にされる。ダイクロイックミラーを経たレーザ光は、さらにビームエキスパンダ５５、エイミング光の一部及びレーザ光を反射して観察光を透過するダイクロイックミラー５６で反射された後、対物レンズ５７、コンタクトレンズ５８を経て患者眼に導光される。
【００１２】
３はジョイスティックであり、基台５上で装置本体１を前後左右に移動して、治療用レーザ光を患部に照射するための照準合わせを行う。上下方向の照準合わせは、ジョイスティック３に設けられた回転ノブを回転操作することにより装置本体１を上下に移動して行う。また、ジョイスティック３の頭部には治療用レーザ光の出射させるためのスイッチが設けられている。４はコントロールパネルであり、レーザ光の照射条件等を設定するのに使用される。
【００１３】
５は装置本体１と患者顔支持台１０を載置するための基台である。基台５には装置本体１を載せ、これを前後左右方向に移動させるための移動機構部２０が設置されている。また、装置本体１は移動機構部２０が持つ移動支基２１に簡単に脱着させることができ（この構成は後述する）、別の治療場所等へ移動する際には、図１（ｂ）に示すように装置本体１を移動支基２１の部分から脱離させることにより、基台５と分離して運搬できるようになっている。
【００１４】
６は電源供給アダプタであり、基台５に簡単に接続、取外しができるようになっており、電源供給アダプタ６からの図示なき電源ケーブルは一旦基台５に接続される。装置本体１は基台５と図示なきケーブルにて接続することにより、基台５を介して、装置本体１を稼動させるための電源が供給される。
【００１５】
１０は患者の顔を支持するための顔支持部である。顔支持部１０は患者の額を支持するための額当て１１、顎載せ台１２を備える。顎載せ台１２は上下動ノブ１３を使用することによって高さ位置を変えることが可能である。１４Ｒ、１４Ｌは額当て１１や顎載せ台１２を支えるための支柱である。支柱１４Ｒ、１４Ｌの下部には固定ノブ１５Ｒ、１５Ｌが備わっており、固定ノブ１５Ｒ、１５Ｌを回して緩めた後、支柱１４Ｒ、１４Ｌを折り曲げ、顔支持部１０全体を基台５平面に対してほぼ平行な状態まで倒す（折りたたむ）ことが可能である（この構成については後述する）。１６は患者眼を固視させる固視灯である。固視灯１６の電源は装置本体１から供給されており、図示なき電源供給用のケーブルは装置本体１から支柱１４Ｒの内部を通って固視灯１６に接続されている。
【００１６】
図３は移動機構部２０に装置本体１を装着させたときの状態を示した概略断面図である。２１は移動支基であり、装置本体１をその上部に取り付けて固定する。移動支基２１の上面には凹部２２が形成されており、装置本体１の底に設けられている凸部２３と嵌合するとともに、移動支基２１の内側形状は装置本体１の外壁形状に接合するような形状となっている。移動支基２１と装置本体１は嵌合させた状態でネジ２４により簡単にネジ止め固定でき、その取外しもネジ２４を緩めることにより簡単に行える。
【００１７】
移動支基２１には車軸２５が回転可能に挿通されると共に、移動支基２１は車軸２５の軸方向にスライド可能になっている（図示なきベアリングにより回転、移動が容易にされる）。車軸２５の両端には歯車２６Ｒ、２６Ｌが取り付けられている。歯車２６Ｒ、２６Ｌは基台５上に敷かれたレール２７Ｒ、２７Ｌ上に置かれている。このような構成により、移動支基２１に前後方向（レールの長手方向）に力が加わると、レール２７Ｒ、２７Ｌ上を歯車２６Ｒ、２６Ｌが車軸２５と一体となって回りながら転がるため、移動支基２１を前後方向へ移動させることが可能である。また、移動支基２１に左右方向（車軸２５の軸方向）の力が加わると、車軸２５に沿って移動支基２１がスライドするため、左右方向への移動も可能である。したがって移動支基２１に取り付けられた装置本体１は、このような移動機構部２０により、基台５上を前後左右に移動することができる。２８Ｒ、２８Ｌはレールに載せられた歯車を覆うカバーである。
【００１８】
図４（ａ）は顔支持部１０の折り曲げ機構を側面方向から示した概略断面図である。折り曲げ機構は支柱１４Ｒ、１４Ｌ側にともにあり、同じ機構となっているので、ここでは支柱１４Ｒ側の機構を説明する。
【００１９】
３０Ｒは基台５に固定設置されている固定ノブ受けである。図のように固定ノブ受け３０Ｒの内部には雌ネジ部３１が形成されている。また、固定ノブ１５Ｒにも雌ネジ部３１に螺合するためのネジ部３２が形成されている。固定ノブ１５Ｒの内部と支柱１４Ｒとの間には、嵌合部材３３が設けられている。嵌合部材３３は図４（ｃ）のように先端に向かうにつれて順次小径となるような円錐形状に形成され、さらに切欠き３３ａが４ヶ所に形成されている。このため嵌合部材３３は半径方向の伸縮が可能となっている。嵌合部材３３はその取付位置がずれないようにストッパー３４ａ、３４ｂにて支柱１４Ｒの所定位置に固定されている。
【００２０】
嵌合部材３３の切欠き３３ａ側端面の外径φＢは、固定ノブ１５Ｒの内径φＡより若干大きくなっている。また、図４（ａ）のように固定ノブ１５Ｒと固定ノブ受け３０Ｒとがしっかりと螺合している状態では、内径φＡを有する固定ノブ１５Ｒの内壁部分が、嵌合部材３３の下端部（外径φＢ側）より若干上部に位置するようになっている。このため、嵌合部材３３に対して必要以上の負荷がかからないようになっているのと同時に、嵌合部材３３の外径は固定ノブ１５Ｒの内壁に押されることにより半径方向に縮められ、支柱１４Ｒにしっかりと密着する。よって支柱１４Ｒは嵌合部材３３を介して固定ノブ１５Ｒによりしっかりと固定保持される。
【００２１】
また、反対に図４（ｂ）のように固定ノブ１５Ｒを固定ノブ受け３０Ｒから外した状態では、嵌合部３３は固定ノブ１５Ｒの内壁に押されることがないため、切欠き３３ａ側端面の外径はもとの径（φＢ）まで戻るとともに、支柱１４Ｒは固定ノブ１５Ｒによって固定保持することができない状態となる。
【００２２】
３５は支柱１４Ｒを折り曲げるための回転軸である。前述したように、固定ノブ１５Ｒを固定ノブ受け３０Ｒから外すと、支柱１４Ｒを固定保持することができない状態（図４（ｂ）の状態）になるため、回転軸３５は図の矢印方向に回転可能になり、支柱１４Ｒを折り曲げることができる。その結果、顔支持部１０を折りたたむことができる。
【００２３】
次に、装置を運搬するにあたって運搬用ケースに収納するための分解と組立てについて説明する。
【００２４】
初めに電源供給アダプタ６と装置本体１から基台５に接続しているケーブルを外しておく。次に、ネジ２４を外して移動支基２１から装置本体１が外れるようにする。ネジ２４を外した後、装置本体１を上に持ち上げながら、移動支基２１の凹部２２から凸部２３を引き抜いて装置本体１を移動支基２１から外し、基台５と装置本体１とを別々にする。
【００２５】
次に、基台５上の顔支持部１０の折りたたみを行なう。固定ノブ１５Ｒと１５Ｌを両方とも緩め、固定ノブ１５Ｒ，１５Ｌを固定ノブ受け３０Ｒ，３０Ｌから外した後、固定ノブ１５Ｒ，１５Ｌを上方に上げる。これにより支柱１４Ｒ，１４Ｌが折りたたみ可能になるので、図４（ｄ）のように基台５の平面とほぼ平行になるまで傾ける。
【００２６】
このように、基台５と装置本体１とを分離し、さらに基台５上に垂直に設置されている顔支持部１０を基台５の平面とほぼ平行になるまで折りたたむようにしたため、基台５と顔支持部１０を極めてコンパクトな状態にすることができる。したがって、分離した装置本体１、折りたたんだ状態の基台５と顔支持部１０は、図５（ａ）のように小さな運搬用のケース１００に効率よく収納でき、無駄なスペースを少なくすることができる。さらに基台５、装置本体１の重量がある場合には、それぞれ別の運搬用ケースを用意して運搬することも可能であり、可搬性がより向上する。なお、電源供給アダプタ６等の小さな部品類はケースの空いているスペースに入れれば良く、無駄なスペースを作らないで済む。
【００２７】
これに対して、装置本体１及び顔支持部１０を基台５に固定した状態で運搬用のケースに収納しようとすると、図５（ｂ）に示すように非常に大きな運搬用ケースとなり、可搬性が劣る。
【００２８】
また、従来のレーザ治療装置の中には、大きな運搬用ケースにて装置全体を運搬せず、可搬性を良くするためにレーザ照射部分のみを持ち運び、運搬先に設置されているスリットランプに装着して使用するものも存在している。しかしながら、このようなレーザ装置はスリットランプに後づけで設置を行なうため、スリットランプの光学系とレーザ照射光学系との間にて光学的精度不足が生じ易い。さらに可搬性を重視するためにレーザ機能の省略化が生じることもある。本発明では、装置全体を分解して運搬するため、可搬性が向上するのと同時に、光学的精度不足やレーザ機能の省略化が生じることがない。
【００２９】
運搬後の組立てを行う際には、分解のときと逆の手順を行なえばよい。すなわち、運搬用ケースから基台５を取り出した後、平坦な場所（例えば診療台等）の上に置く。次に折りたたんでいる顔支持部１０を起こし、基台５に対して垂直にした後、固定ノブ１５Ｒ，１５Ｌを固定ノブ受け３０Ｒ，３０Ｌに螺合する。これにより、支柱１４Ｒ，１４Ｌはしっかりと基台５に対して垂直に固定保持され、折り曲げができないようになる。その後、装置本体１を移動機構部２０移動支基２１にネジ２４によってネジ止め固定することにより、極めて簡単に組み付けが完了する。
【００３０】
以上説明した実施形態では、顔支持部１０を折りたたむ機構により基台５に対する固定を変更する構成としたが、これに限らず基台５に対して顔支持部１０を分離する機構にしてもよい。例えば、基台５側に固定配置された固定ノブ受け３０Ｒ，３０Ｌに対して、支柱１４Ｒ，１４Ｌを抜き差しする機構にし、前述と同様な嵌合部材３３、固定ノブ１５Ｒ，１５Ｌを用いて固定できるようにする。なお、顔支持部１０側に固視灯１６のためのケーブル等が配線されている場合には、これらを簡単に取り外せるようにしておけば良い。
【００３１】
また、本実施の形態では眼科装置の１つとしてレーザ治療装置を例にとって説明したが、これに限るものではなく、例えば眼屈折力測定装置やスリットランプ等の顔支持部を使用して患者眼を観察、測定、治療等を行なう眼科装置であって、運搬を必要とするものに適用することができる。
【００３２】
【発明の効果】
以上説明したように、本発明によれば、装置を運搬する際には装置全体をコンパクトにすることができる。これにより運搬用のケースの大きさも小さくすることができるため、可搬性が向上する。
【図面の簡単な説明】
【図１】装置本体の取外しを示す外観略図である。
【図２】光学系を示した図である。
【図３】装置本体と移動支基との取り付け機構を示す概略断面図である。
【図４】顔支持部の折り曲げ機構を示す図である。
【図５】従来の運搬用ケースとの大きさの違いを示した図である。
【符号の説明】
１  装置本体
５  基台
６  電源供給アダプタ
１０  顔支持部
１５Ｒ  固定ノブ
１５Ｌ  固定ノブ
２０  移動機構部
２１  移動支基
１００  ケース
【図１】
0003640830.tif 000002
【図２】
0003640830.tif 000003
【図３】
0003640830.tif 000004
【図４】
0003640830.tif 000005
【図５】
0003640830.tif 000006